(57)【特許請求の範囲】
【請求項１】
クリップファスナであって、
ａ．ヒンジ式で対置できる２つのジョー部であって、両ジョー部は閉位置に付勢されている、ジョー部と、
ｂ．ロッキングバーであって、前記ジョー部の一方のチャネル内に配置されて、その中で横方向にスライド可能に動くことが可能であり、該ロッキングバーは、さらに、
ｉ．該ロッキングバーにおいて偏心した位置にあって前記横方向に対して垂直な垂直切欠部と、
ｉｉ．前記垂直切欠部の反対側で偏心した位置にあって前記横方向の一部分を切り欠いた水平切欠部と、
ｉｉｉ．前記水平切欠部の範囲内にあるリッジであって、該リッジと前記水平切欠部の内側とによって２つのデテントが形成されている、リッジと、を有するロッキングバーと、
ｃ．一方のジョー部から前記ロッキングバーに近接した位置に延出するストップタブと、
ｄ．少なくとも１つの端部を有するバネと、を備え、
前記ジョー部の開閉によって、前記ストップタブの移動経路が規定され、前記ストップタブは前記移動経路の範囲内にあり、前記バネの前記少なくとも１つの端部は、前記ロッキングバーの前記水平切欠部の範囲内にあって、前記ロッキングバーが開位置および閉位置に移動すると、前記ロッキングバーの前記リッジが、前記バネの前記端部のいずれかの側に選択可能に配置され得るようになっており、これによって、前記ロッキングバーが開位置にあるときに、前記垂直切欠部を前記移動経路に選択的に位置決めして、前記ストップタブの通過と、それに伴う前記ジョー部の相対的な枢動と、を可能にする、クリップファスナ。
【請求項２】
ファスナ用のロック機構であって、前記ファスナは、２つの枢動可能なジョー部と、前記ジョー部の枢動用の付勢を提供する捩りバネと、を備え、当該ロック機構は、
ａ．前記枢動可能なジョー部の一方の中を通って、開位置および閉位置に選択的にスライド可能な横断バーと、
ｂ．前記捩りバネのアームと適合するように、前記横断バーの上面において偏心した位置にあるリッジと、
ｃ．前記横断バー上で、前記リッジと反対側の偏心した位置にある垂直切欠部と、
ｄ．前記横断バーが閉位置にあるときには前記横断バーと向き合い、前記横断バーが開位置にあるときには前記切欠部と向き合うように、前記ジョー部の一方に配置されたストップタブと、を含むロック機構。
【請求項３】
前記リッジは、前記横断バーの水平切欠部の中にある、請求項２に記載のロック機構。
【請求項４】
前記リッジは、前記捩りバネのアームと適合しており、これによって、前記横断バーが開位置にあるときには、前記リッジは前記捩りバネの前記アームの一方の側にあり、前記横断バーが閉位置にあるときには、前記リッジは、前記捩りバネの前記アームのもう一方の側にある、請求項３に記載のロック機構。
【請求項５】
前記リッジは、前記捩りバネのアームと適合しており、これによって、前記横断バーが開位置にあるときには、前記リッジは前記捩りバネの前記アームの一方の側にあり、前記横断バーが閉位置にあるときには、前記リッジは、前記捩りバネの前記アームのもう一方の側にある、請求項２に記載のロック機構。
【請求項６】
クリップファスナであって、
ａ．下ジョー部であって、該下ジョー部は、さらに、
ｉ．後端レバー部と、
ｉｉ．該下ジョー部の両側に１つずつの２つの末端タブであって、それぞれが孔を有し、それらの孔は同軸状である、末端タブと、
ｉｉｉ．前記末端タブの一方と、前記後端レバー部との間に配置されたストップタブと、
ｉｖ．前方鉤形歯部と、を有する、下ジョー部と、
ｂ．上ジョー部であって、該上ジョー部は、さらに、
ｉ．ジョー本体から延出する後方横断バーと、
ｉｉ．前記横断バーの前方にある後部リッジと、
ｉｉｉ．上部が開いた横断ロックチャネルであって、前記後部リッジの前方にあるロックチャネルと、
ｉｖ．フロアと２つの側壁とを含む前部クレードルであって、前記側壁のそれぞれは、前記フロアから離間した歯部と１つのオリフィスとを含み、それらのオリフィスは、互いに対向している、前部クレードルと、を有する上ジョー部と、
ｃ．前記上ジョー部の前記オリフィスと、前記下ジョー部の前記末端タブの前記孔とに挿入されたピボットバーと、
ｄ．前記ピボットバーの周りに配置されたバネであって、前記後部リッジ上で支えられて、前記ジョー部を閉じた関係に付勢するように位置決めされたバネと、
ｅ．前記上ジョー部の前記ロックチャネルの範囲内に配置されて、その中で横方向にスライド可能に動くことが可能なロッキングバーであって、該ロッキングバーは、さらに、
ｉ．該ロッキングバーにおいて偏心した位置にあって前記横方向に対して垂直な垂直切欠部と、
ｉｉ．該ロッキングバーの上半分に配置された水平切欠部であって、前記垂直切欠部と反対側の偏心した位置にあって前記横方向の一部分を切り欠いた水平切欠部と、
ｉｉｉ．前記水平切欠部の範囲内にあるリッジであって、該リッジと前記水平切欠部の内側とによって２つのデテントが形成されている、リッジと、を有するロッキングバーと、を備え、
前記ロッキングバーの水平切欠部は、前記上ジョー部の前記後部リッジ上で支えられた前記バネの端部の下にあって、前記ロッキングバーを開位置および閉位置に動かすと、前記ロッキングバーの前記リッジは、前記バネの前記端部のいずれかの側に選択可能に配置されることができ、前記ロッキングバーが閉位置にあるときには、前記ストップタブは前記ロッキングバーの上方にあり、前記ロッキングバーが開位置にあるときには、前記ストップタブは前記垂直切欠部の上方に位置決めされて、これにより、前記ストップタブの通過と、それに伴う前記ジョー部の相対的な枢動と、が可能である、クリップファスナ。
【発明の詳細な説明】
【技術分野】
【０００１】
本発明は、ファスナの分野に関し、より具体的には、ロック可能なスナップクリップファスナに関するものである。
【背景技術】
【０００２】
（関連出願の相互参照）
本出願は、２０１１年９月９日に出願された先の出願である米国仮特許出願第６１／５３３，１０４号の優先権、および２０１２年４月４日に出願された先の出願である米国非仮特許出願第１３／４３９，０３４号の継続的な出願としての優先権を主張するものであり、これら両方の先の出願は、それらの全体が参照により援用される。
【０００３】
本発明は、従来技術によるスナップクリップよりも少数の部品を含み、それらを簡単な構成で用いるロック可能なスナップクリップであり、これにより、本発明のスナップクリップは、従来技術に比して優れたものになっている。
【発明の概要】
【発明が解決しようとする課題】
【０００４】
本発明のスナップクリップでは、簡単かつ直観的に使用できるロック可能なスナップクリップが可能であり、ユーザが一方から他方に切り替えることを望むまで、ロックまたはロック解除された設定のいずれかに維持されるという点において、本発明は、従来技術からの脱却を示すものである。
【課題を解決するための手段】
【０００５】
周知のタイプのスナップクリップファスナに固有の上記欠点に鑑み、本発明は、ロック可能なスナップクリップファスナを提供する。従って、本発明の全体的な目的は、簡単かつ直観的に使用することができ、また、少数の構成部品を用いて、経済的に製造される、新規の改良されたロック可能なスナップクリップファスナを提供することである。
【０００６】
これらの目的を達成するため、本発明によるスナップクリップファスナは、２つのジョー部材を備え、これらは、ピボットで連結されており、バネによって閉位置に付勢されている。ロッキングバーが、一方のジョー部材を貫通して、バネの端部の下でスライドする。バーは、それが貫通するジョー部材のどちらかの側まで貫通させることができ、バネによってその位置に保持される。バーは、一方の位置では、他方のジョー部材の移行を阻止し、もう一方の位置では、移行を許可する。
【０００７】
より詳細な以下の説明がより良く理解できるように、また、当該技術への本貢献がより良く理解できるように、本発明のより重要な特徴について、ここまで概説した。本発明のさらなる特徴について以下で記載し、それらは、添付の請求項の主題をなすものである。
【０００８】
いくつかの図面において対応する部品を類似の参照記号で示し、本明細書の一部をなす添付の図面を参照して、以下の説明および添付の請求項から、本発明の様々な目的が明らかになるであろう。
【０００９】
本発明の少なくとも１つの実施形態について詳細に説明するに当たり、理解されるべきことは、本発明は、その応用において、以下の説明で記載する、または図面に示す構成の詳細および構成要素の配置に限定されないということである。本発明は、他の実施形態が可能であり、様々な方法で実施および実現することが可能である。また、本明細書で用いる表現および術語は、説明を目的とするものであり、限定するものとみなされるべきではないということも、理解されるべきである。
【００１０】
そこで、本発明の様々な目的を達成するための他の構造、方法、およびシステムを設計するための基礎として、本開示の基本となる概念を容易に利用することができることは、当業者であれば理解できるであろう。よって、重要なことは、請求項は、そのような均等な構成を、本発明の趣旨および範囲から逸脱しない限りにおいて含むものとみなされるということである。
【図面の簡単な説明】
【００１１】
【図１】本発明の最良の形態を示すファスナの斜視図である。
【図２】図１のファスナの別の斜視図である。
【図３】図１のファスナの分解図である。
【図４】図１のファスナの別の分解図である。
【図５】ロック解除された図１のファスナの平面図である。
【図６】図５のファスナの線Ａ−Ａに沿った断面図である。
【図７】図５のファスナの線Ｂ−Ｂに沿った断面図である。
【図８】ロックされた図１のファスナの平面図である。
【図９】図８のファスナの線Ｃ−Ｃに沿った断面図である。
【図１０】図８のファスナの線Ｄ−Ｄに沿った断面図である。
【図１１】図１のファスナの別の斜視図である。
【図１２】スリングの両端部で使用される図１のファスナの斜視図である。
【図１３】取り付けループに装着された図１のファスナの斜視図である。
【発明を実施するための形態】
【００１２】
以下、図面を参照して、ロック式スナップクリップファスナの好ましい実施形態について、本明細書で記載する。留意されるべきことは、本明細書で用いられる冠詞“ａ”、“ａｎ”、“ｔｈｅ”は、文脈上別段の明確な規定がない限り、複数形の指示対象を含むということである。
【００１３】
図１および２を参照して、２つのジョー本体である下ジョー部１２と上ジョー部１４とで、ファスナ１０を形成している。上ジョー部１４は、下ジョー部１２を受けて支える。下ジョー部１２と上ジョー部１４とは、互いに対してロールピン１５の周りで枢動し、捩りバネ１３によって閉位置に付勢されている。ロッキングバー１６が、上ジョー部１４の中央部分を貫通しており、これに対する下ジョー部１２の動きを選択的に妨げることができる。このように妨げることによって、ユーザの意志でファスナ１０を動かない位置にロックすることが可能である。
【００１４】
図３および４は、より詳細にファスナの構成要素を示している。下ジョー部１２は、一端に鉤形歯部２６を、他端にレバー２８を備えることを特徴とする。２つの末端タブ２４が、レバー２８の終端から下ジョー部１２の長さの約３分の１の位置で、下ジョー部１２の両側に配置されている。両方のタブ２４は、同軸の貫通孔を備えることを特徴とする。ストップ２２が、下ジョー部１２の片側で、レバー２８の下の一方のタブ２４の背後に配置されている。上ジョー部１４は、鉤形歯部２６と適合したクレードル４０を備えることを特徴とする。クレードル４０は、フロア４３と、それぞれ歯部４５で終端している両側部とを備えることを特徴とし、それぞれの歯部４５とフロア４３との間には空間が画成されている。上ジョー部１４は、さらに、クレードルと反対側にアタッチメントバー４８を備えることを特徴とする。アタッチメントバー４８は、上ジョー部１４の後端を定めている。２つのピボット孔４２が、上ジョー部１４の対向壁に設けられており、適正に位置決めされたときのタブ２４の孔と、ピボット孔４２とは同軸となるようになっている。これらの中に、ロールピン１５または類似の構造体が挿入されて、これにより下ジョー部１２と上ジョー部１４とを連結し、また、ピボットバーとして機能して、その周りでジョー本体がそれぞれ枢動する。捩りバネ１３は、タブ２４の間でロールピン１５の周りに配置されて、一方のアームが上ジョー部１４の後部リッジ４６のスロット内に入るようにして（図１１）、支えられている。捩りバネ１３は、ジョー本体を閉位置に付勢している。
【００１５】
ロッキングバー１６は、上ジョー部１４においてピボット孔４２の背後にあるチャネル４４に貫通している。ロッキングバーは、両側のテーパ端６２、６８と、偏心垂直切欠部６６と、同様に偏心した水平切欠部にあるリッジ６４と、を備えることを特徴とする。リッジ６４と水平切欠部とは一緒に、２つのデテントをリッジ６４の両側に形成している。所定位置にあるときには、水平切欠部は、後部リッジ４６に支えられたバネ１３の端部の下にある。これらの部品間の関係は、図８に、より良く見えるように示されている。
【００１６】
図５〜１０に示す使用の際には、ロッキングバー１６が、どちらか一方の側に押される。図５〜７に示す開位置では、ストップ２２が切欠部６６の上に位置決めされて、これにより、下ジョー部１２と上ジョー部１４とは相互に動くことが可能である。バネ１３は、水平切欠部においてリッジ６４の外縁デテントの中にある。バネ圧によって、バネ１３がロッキングバー１６に対して付勢されて、ロッキングバーはその位置に維持される。図８〜１０に示すようにファスナをロックするためには、ユーザは、バネ１３がリッジ６４を飛び越えて、その他方のデテントに落ち着くのに十分な力がバネ１３に加えられるまで、ロッキングバー１６の露出したテーパ端部を押圧する。この位置では、ストップ２２は、垂直切欠部６６の上ではなく、ロッキングバー１６の中実部分の上に位置決めされる。これによって、このときの下ジョー部１２と上ジョー部１４は、枢動してファスナを開くことを阻止される。この場合、ファスナのロッキングバー１６を、一方の位置からもう一方の位置に切り替えるためには、ユーザからの積極的な押圧力が必要であり、ユーザが意識的に変更したいと望むまでは、その位置に維持される。
【００１７】
本ファスナ１０は、図１２に示すスリング１８など、多くの異なる機能で用いることができる。いずれの状況においても、ストラップを、周知の通常の手段のいずれかで、または後に発見される任意の手段によって、アタッチメントバー４８の周りに固定することができる。図１３に示す使用の際には、ファスナ１０は、そのロックを解除し、レバー２８を押し下げることで下ジョー部１２を上ジョー部１４から分離させて、開かれる。リングまたはバーなどの連結金具片８を、上ジョー部１４の歯部４５とフロア４３との間に位置決めして、レバー２８を解放すると、これにより、連結金具の周りで鉤形歯部２６が閉じる。その後、ファスナ１０は、上述のようにロックされる。
【００１８】
本発明について、好ましい実施形態を参照して説明したが、種々の変更および変形を実施することが可能であり、その結果は、依然として本発明の範囲内にある。本明細書で開示された具体的な実施形態に関しては、限定を意図するものでは決してない。
【産業上の利用可能性】
【００１９】
本発明は、産業界で生産されて、物品を運搬もしくは他の物品に締結する必要がある運送および他の分野において補助として使用することが可能である。本出願では、本発明を、スリングと共に使用されるものとして例示しているが、本発明は、２つの物品を一時的ではあるが堅固に締結する必要がある場合であれば、他の物品と共に、中でも特にストラップおよびパックと共に用いることが可能である。アタッチメントバー４８は、この場合はスリングである対象物品に本発明を連結する手段の一例である。様々に異なるタイプの物品に対して、様々に異なる目的で、様々に異なるアタッチメント手段を利用することができることは、容易に理解されるに違いない。本発明は、いずれかの適切な材料で製造することができ、耐久性および経済的な構成のために最適なのは、金属およびプラスチックであると考えられる。
【００２０】
提示される好ましい実施形態の以下の構成要素を、以下の参照符号を用いて示している。
【符号の説明】
【００２１】
８      連結金具
１０    ファスナ
１２    下ジョー部
１３    バネ
１４    上ジョー部
１５    ロールピン
１６    ロッキングバー
１８    スリング
２２    ストップ
２４    末端タブ
２６    鉤形歯部
２８    レバー
４０    クレードル
４２    ピボット孔
４３    フロア
４４    チャネル
４５    歯部
４６    後部リッジ
４８    アタッチメントバー
６２    第１のテーパ端部
６４    リッジ
６６    偏心垂直切欠部
６８    第２のテーパ端部
【図１】
0005902816.tif 000002
【図２】
0005902816.tif 000003
【図３】
0005902816.tif 000004
【図４】
0005902816.tif 000005
【図５】
0005902816.tif 000006
【図６】
0005902816.tif 000007
【図７】
0005902816.tif 000008
【図８】
0005902816.tif 000009
【図９】
0005902816.tif 000010
【図１０】
0005902816.tif 000011
【図１１】
0005902816.tif 000012
【図１２】
0005902816.tif 000013
【図１３】
0005902816.tif 000014